(57)【要約】【課題】  棚板（載置棚）の組立作業を煩雑にすることなく、棚板の上面（載置面）の摩擦抵抗を減らすことができ、かつ、どのようなサイズの商品にも対応できるとともにシート材の交換も容易にできる商品陳列棚を提供すること。【解決手段】  前方に向かって下方に傾斜した棚板２の上面にシート材１０を配設し、このシート材１０上であって傾斜面に沿って陳列した複数の商品の最前列の商品をとる毎に、その後方の商品が前方に移動するようにした商品陳列棚において、シート材１０は高滑り性能を有し、かつ棚板２の左右方向の略全域にわたって設けられ、棚板に対する前方への移動を落下拘束手段４によって停止させている。これにより、たとえ滑りにくい紙製の容器Ｗであっても前方への移動がスムーズに行える。【選択図】  図２
2006239133.tif 000002
【特許請求の範囲】
【請求項１】
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、かつ棚板の左右方向の略全域にわたって設けられ、棚板に対する前方への移動を落下拘束手段によって停止させたことを特徴とする商品陳列棚。
【請求項２】
前記シート材の棚板に対する左右方向への移動を左右動拘束手段によって停止させた請求項１に記載の商品陳列棚。
【請求項３】
前記落下拘束手段は棚板前端部に設けた落下防止具に前記シート材の前端部を当接させたものである請求項１または２に記載の商品陳列棚。
【請求項４】
前記落下拘束手段は棚板上に設けた上方に突出した突片に前記シート材の前端部を当接させたものである請求項１または２に記載の商品陳列棚。
【請求項５】
前記落下拘束手段は前記シート材の後方部を下方に屈曲させた屈曲部を前記棚板の後端部に当接させたものである請求項１または２に記載の商品陳列棚。
【請求項６】
前記左右動拘束手段は前記棚板の左右側部から上方を向けて突設した上方当接片に前記シート材の左右側端部をそれぞれ当接したものである請求項２乃至５のいずれかに記載の商品陳列棚。
【請求項７】
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものである請求項２乃至５のいずれかに記載の商品陳列棚。
【請求項８】
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであり、前記落下拘束手段は前記棚板側面から左右方向に突出した突片に前記シート材の左右の屈曲部前端部を当接させたものである請求項２に記載の商品陳列棚。
【発明の詳細な説明】
【技術分野】
【０００１】
本発明は、前方側が下がるように傾斜された棚板に載置される商品が、自重により棚板の前方側へと移動する商品陳列棚に関する。
【背景技術】
【０００２】
従来、スーパーやコンビニエンス・ストアー等の商品売り場に設置される商品陳列棚において、前方側が下がるように傾斜された物品載置棚の載置面と、この載置面上に陳列される商品との間の摩擦抵抗と減らして商品を摺動し易くするために、ポリスチレン樹脂等により成形された摩擦抵抗の低い棒状部材を載置面に配設させ、この棒状部材上に陳列される複数の商品の内、前方側に位置する商品が客によって取り出されると、その後方側に位置する複数の商品が自重によって棒状部材上を滑りながら前方側に移動され、客が商品を常に商品陳列棚の前方側から取り出せるようにしたものがある（例えば、特許文献１参照）。
【０００３】
【特許文献１】特開平８−１０１０８号公報（第４頁、第６図）
【発明の開示】
【発明が解決しようとする課題】
【０００４】
しかしながら、特許文献１にあっては、ポリスチレン樹脂等で成形された棒状部材を載置面上に配設するために、棒状部材を載置棚に固定するためのリテーナ等の固定手段が必要となっており、このリテーナは、断面が円形状や矩形状を成す棒状部材に嵌合させるために、複雑な形状に成形する必要があるとともに、複数のリテーナを載置面上に互いに平行になるように固着させなければならず、載置棚の組立作業が煩雑になる。また、棒状部材の配置間隔が商品サイズに対応して設定されているため、商品の陳列代えをしようとしたときに、他の商品を既設棒状部材に配置できない不具合が生じることもあった。
【０００５】
本発明は、このような問題点に着目してなされたもので、棚板（載置棚）の組立作業を煩雑にすることなく、棚板の上面（載置面）の摩擦抵抗を減らすことができ、かつ、どのようなサイズの商品にも対応できるとともにシート材の交換も容易にできる商品陳列棚を提供することを目的とする。
【課題を解決するための手段】
【０００６】
前記課題を解決するために、本発明の請求項１に記載の商品陳列棚は、前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、かつ棚板の左右方向の略全域にわたって設けられ、棚板に対する前方への移動を落下拘束手段によって停止させたことを特徴としている。
この特徴によれば、棚板と、高滑り性能のシート材とが別構成の部品であるので、従来の棚板、あるいはある程度滑り性のある棚板に容易に付加して用いることができ、たとえ滑りにくい紙製の容器であっても前方への移動がスムーズであり、かつシート材が棚板の左右方向の略全域にわたって設けられているので、棚上のどの場所も商品が前方に移動する商品陳列棚として利用できる。加えて落下拘束手段によってシート材が棚板から前方に滑り落ちることかなく、しかもシート材を拘束手段から解放することで、シート材を棚板から分離して棚板やシート材の清掃、あるいはシート材の交換を容易に行うことができる。
【０００７】
本発明の請求項２に記載の商品陳列棚は、請求項１に記載の商品陳列棚であって、前記シート材の棚板に対する左右方向への移動を左右動拘束手段によって停止させたことを特徴としている。
この特徴によれば、左右動拘束手段によってシート材の左右方向への移動が拘束されかつ回転振れも防止できるので、シート材を安定した状態で棚板上に配設できる。
【０００８】
本発明の請求項３に記載の商品陳列棚は、請求項１または２に記載の商品陳列棚であって、前記落下拘束手段は棚板前端部に設けた落下防止具に前記シート材の前端部を当接させたものであることを特徴としている。
この特徴によれば、特別な落下拘束手段を棚板に講じることなく、商品陳列棚に通常備えられている落下防止具を利用して、シート材の前方への移動を停止させることができる。なお、落下防止具としてプライスレールも含まれる。
【０００９】
本発明の請求項４に記載の商品陳列棚は、請求項１または２に記載の商品陳列棚であって、前記落下拘束手段は棚板上に設けた上方に突出した突片に前記シート材の前端部を当接させたものであることを特徴としている。
この特徴によれば、棚板上に設けた突片にシート材の前端部を当接させるだけで、シート材の前方への移動を容易に停止させることができる。なお、突片の形成の仕方としては、棚板にきり込みを入れ裏面側から押し上げて形成しても良いし、突片を棚板に固着しても良い。
【００１０】
本発明の請求項５に記載の商品陳列棚は、請求項１または２に記載の商品陳列棚であって、前記落下拘束手段は前記シート材の後方部を下方に屈曲させた屈曲部を前記棚板の後端部に当接させたものであることを特徴としている。
この特徴によれば、シート材の後方部を下方に屈曲させて棚板の後端部に当接させるだけで、シート材の前方への移動を容易に停止させることができる。
【００１１】
本発明の請求項６に記載の商品陳列棚は、請求項２乃至５のいずれかに記載の商品陳列棚であって、前記左右動拘束手段は前記棚板の左右側部から上方を向けて突設した上方当接片に前記シート材の左右側端部をそれぞれ当接したものであることを特徴としている。
この特徴によれば、棚板の左右側部から上方を向けて突設した上方当接片にシート材の左右側端部をそれぞれ当接するだけで、シート材の左右方向への移動を容易に拘束できる。
【００１２】
本発明の請求項７に記載の商品陳列棚は、請求項２乃至５のいずれかに記載の商品陳列棚であって、前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであることを特徴としている。
この特徴によれば、シート材の左右端部を下方に屈曲させるだけでシート材の左右方向への移動を容易に拘束できる。
【００１３】
本発明の請求項８に記載の商品陳列棚は、請求項２に記載の商品陳列棚であって、前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであり、前記落下拘束手段は前記棚板側面から左右方向に突出した突片に前記シート材の左右の屈曲部前端部を当接させたものであることを特徴としている。
この特徴によれば、シート材の左右端部を下方に屈曲させるだけでシート材の左右方向への移動を容易に拘束できると共に、棚板側面から左右方向に突出した突片にシート材の左右の屈曲部前端部を当接することで、シート材の前方への移動を容易に停止させることができる。
【発明を実施するための最良の形態】
【００１４】
本発明の実施例を以下に説明する。
【実施例１】
【００１５】
図１は、商品陳列棚の全体像を示す斜視図であり、図２（ａ）は、シート板および落下防止具を棚板に取り付ける過程を示す分解組立斜視図であり、図２（ｂ）は、棚板の組立完成斜視図であり、図３（ａ）は、シート板の表面を示す要部拡大平面図であり、図３（ｂ）は、図３（ａ）のＡ−Ａ線の断面図であり、図４は、商品の取り出しにともなう他の陳列商品の移動過程を示す棚板とその周辺部を示す要部拡大側断面図である。この商品陳列棚は、スーパーやコンビニエンス・ストアー等の商品売り場に設置されており、商品陳列棚に複数の商品を数多く載置して、消費者が直に商品の取り出しを行えるようになっている。
【００１６】
本発明の実施例１を図面に基づいて説明すると、商品陳列棚１は図1に示されるように、床面に棚板２を設けた載置台５が設けられ、載置台５の後方に床面から上下方向に延びる脚柱３が左右に一対にて所定間隔離間されて立設されている。両脚柱３，３の上端部には横架材８が挟持されるように設けられており、これら左右の脚柱３，３、載置台５、横架材８によって枠体が構成されている。この枠体の脚柱３間に背面板６が嵌合して取り付けられている。
【００１７】
両脚柱３，３にはそれぞれ係合穴３ａが上下方向に複数形成され、背面板６の所定の高さ位置には上下方向に棚板２が複数段（本実施例では３段）設けられている。これら棚板２は脚柱３の係合穴３ａに予め取り付けられた板金状のブラケット９の上端に載置され係止されている。以下、本実施例では商品陳列棚１の正面側を前方とし、商品陳列棚１の背面側を後方として説明する。
【００１８】
棚板２の上面は後方から前方に向けて緩やかな傾斜角度が形成されており、棚板２の前端部にはアクリル板などで構成された商品落下防止用の落下防止具４が設けられている。棚板２の前端部より若干後方に離間された位置から棚板２の後端部に掛けて、後で詳述するシート材に相当する薄板状のシート板１０が載置されている。この棚板２の傾斜面に沿って複数の商品Ｗ（本実施例では飲料等の紙パック商品）が前後方向に並べて陳列され、落下防止具４によって最前位置の商品Ｗの落下が防止されている。
【００１９】
まず、棚板２について具体的に説明すると図２（ａ）に示されるように、棚板２の前端部２ａには略左右側部２ｃ，２ｃ’の長さ方向に向けて上方に開口する取付孔２ｅが形成され、落下防止部４の下端部を挿し込むだけで取り付け可能になっている。棚板２の傾斜面２ｄに載置されるシート板１０には棚板２の傾斜面２ｄの左右方向の略全域を覆うように載置される板状の載置部１０ａと、シート板１０の後方部を下方に屈曲させることで形成した落下拘束手段である後端屈曲部１０ｂとから構成されている。
【００２０】
シート板１０を棚板２に取り付けるには、シート板１０を矢印に示されるように下方に向けて移動させながら、後端屈曲部１０ｂを棚板２の後端部２ｂに当接させ、かつ載置部１０ａを傾斜面２ｄに載置させるだけで、図２（ｂ）に示されるように傾斜面２ｄにシート板１０が簡便に取り付けられている。しかも、後端屈曲部１０ｂを後端部２ｂに係止させたことで、シート板１０の前方への移動が防止されている。
【００２１】
次いで、シート板１０について詳細に説明すると、図３（ａ）及び図３（ｂ）に示されるように、シート板１０は、プラスチック等の材質で形成された基材１１と、表面にエンボス加工が施されたエンボスシート１２と、エンボスシート１２の表面に塗布された塗膜１３とで構成されている。エンボスシートの表面には複数の微小な突起１４が形成されるとともに、このエンボスシート１２の表面にケイ素樹脂を５〜１０％の割合で含有させたポリエチレン樹脂が塗布されることで、塗膜１３が形成されている。エンボスシート１２は、接着剤等を用いて基材１１の上面に貼り付けられている。尚、本実施例では、塗膜１３にケイ素樹脂が含有されていたが、ケイ素樹脂に限らず、フッ素樹脂またはモリブデンが塗膜１３に含有されていてもよい。
【００２２】
図３（ａ）に示されるように、エンボスシート１２の厚みはエンボス加工が施し易いように、０．２〜０．５ｍｍで形成されている。更にこのエンボスシート１２の表面に形成された複数の突起１４は、同一直径（本実施例では０．２〜１．０ｍｍ）、及び同一高さ（本実施例では０．１〜０．４ｍｍ）で形成されており、それぞれの突起同士の間隔が０．５〜１．５ｍｍで配置されている。尚、本実施例では突起１４の面積に対する占有率は５〜６０％の範囲内となっている。
【００２３】
このようにして、シート板１０を構成する基材１１の表面にエンボスシート１２が貼り付けられ、かつエンボスシート１２の表面に塗膜１３が塗布されていることで、滑り性能が高められておりシート板１０の上面に載置された商品Ｗを摺動し易い構成となっている。さらに、複数の突起１４によってシート板１０の上面の商品Ｗとの接触面積がより制限され摩擦抵抗を低く抑えている。
【００２４】
次に、図４に示されるようにブラケット９の後部に形成された係止溝９ａに棚板２の後端部２ｂを係合させることで、棚板２が安定してブラケット９に位置固定されており、シート板１０を備えた棚板２には複数の商品Ｗが陳列されている。そこで、最前列の商品Ｗが利用者によって抜き取られると、シート板１０の高滑り性能により陳列された複数の商品Ｗが自重によって棚板２の傾斜面２ｄに沿って前方に円滑に移動されていく。
【００２５】
そこで、例えば商品を棚板２に補充する店員は、棚板２上の商品Ｗを並び直す手間が省けるとともに、特に図示しないが、陳列された商品Ｗの最後部の後方のスペースより新たな商品Ｗを補充するだけで、常に商品を棚板２の前端部２ａに位置させることができるとともに、店の利用者に棚板２の後方まで手を伸ばさせて商品Ｗを取らせる手間も生じさせない。
【００２６】
この図示される商品Ｗのように紙製の容器であっても、シート板１０の表面に形成された複数の突起１４は微小に形成されているため、商品Ｗの移動時においても引っ掛かりを生じさせない構成となっており、棚板２の前端部２ａ方向への移動がスムーズに行われる。さらに、シート板１０を傾斜面２ｄの略全域に渡って設けたことで、シート板１０のどの載置部１０ａに商品Ｗが載置された場合であっても、シート板１０の高滑り性能により商品Ｗの自重で前方に移動させることができる。
【００２７】
なお、商品Ｗの前方移動による摺動によって、シート板１０に前方へ向けて摩擦が加えられても、後端屈曲部１０ｂが棚板２の後端部２ｂに係合されているので、シート板１０が前方に滑り落ちる恐れも回避されるとともに、シート板１０は棚板２の上方から載置されるように取り付けられているので、シート板１０の取り外しも持ち上げながら棚板２の後端部２ｂから後端屈曲部１０ｂの係合を解除させるだけで容易に取り外すことができ、シート板１０を棚板２から分離して棚板２やシート板１０の清掃を手軽に行える。また、シート板１０は棚板２に載置しただけなので、商品として金属製の缶類に載置替えする場合は、シート板１０を取り外して通常の滑り機能を有するシート板に交換することができる。
【実施例２】
【００２８】
次に、本発明の実施例２を図５に基づいて説明する。図５は、シート板を棚板に載置した斜視図と、突片の要部拡大断面図である。なお、以下の実施例２において前述の実施例１と同様の構造部分に関しては、同一の符号を付すことにより詳細な説明は省略する。
【００２９】
図５に示されるように、棚板２’の傾斜面２ｄには前端部２ａよりも若干後方に離間させた左右側部２ｃ，２ｃ’近傍位置に上方に突出する落下拘束手段である突片２ｆ，２ｆが形成されている。この突片２ｆは傾斜面２ｄの一部に切り込みを入れ、傾斜面２ｄの裏面側から上方に押し上げて隆起させ形成したものである。シート板１０’は傾斜面２ｄの左右を左右長手方向に延設された一枚板で形成されており、このシート板１０’の上面は実施例１と同様に、特に図示しないがエンボスシート１２の表面に塗膜１３が塗布され滑り性能が高められている。
【００３０】
そこで、シート板１０’を矢印に示されるように棚板２’の傾斜面２ｄの左右方向の略全域を覆うように載置させたのち、さらに傾斜面２ｄに沿わせて前方に摺動させていくことで、シート板１０’の前端が突片２ｆ，２ｆの左右２箇所で係止され、シート板１０’のさらなる前方への移動を停止させており、特に図示しないがシート板１０’上に陳列された商品Ｗの前方への移動時においても、商品Ｗの自重等による影響でシート板１０’の前方向に力が加えられた場合であっても、前方への滑りが規制されるようになっている。
【実施例３】
【００３１】
次に、本発明の実施例３を図６に基づいて説明する。図６（ａ）は、シート板を棚板に取り付ける過程を示す分解組立斜視図であり、図６（ｂ）は、シート板の取り付け完成斜視図である。なお、以下の実施例３において前述の実施例１と同様の構造部分に関しては、同一の符号を付すことにより詳細な説明は省略する。
【００３２】
図６（ａ）に示されるように、棚板２’’の左右側部２ｃ，２ｃ’には、前端部２ａよりも若干後方に離間させた位置にそれぞれ左右方向に突出した落下拘束手段である突片２ｆ’，２ｆ’が形成されている。これら突片２ｆ’，２ｆ’は特に図示しないが実施例２と略同様に左右側部２ｃ，２ｃ’の一部に切り込みを入れ、左右側部２ｃ，２ｃ’の裏面側から表側に押し上げて隆起させ形成したものである。
【００３３】
シート板１０’’は左右長手方向に延設され、棚板２’’の傾斜部２ｄの左右方向の幅よりも若干大きく形成された載置部１０ａと、この載置部１０ａの左右端部からそれぞれ下方に向けて屈曲された左右動拘束手段である側端屈曲部１０ｃ，１０ｃ’で構成されており、このシート板１０’の上面は実施例１と同様に、特に図示しないがエンボスシート１２の表面に塗膜１３が塗布され滑り性能が高められている。
【００３４】
次いで、図６（ｂ）に示されるように、シート板１０’’を矢印に示されるように下方に向けて移動させながら、側端屈曲部１０ｃ，１０ｃ’を棚板２’’の両側部２ｃ，２ｃ’に被嵌させていき、載置部１０ａを棚板２’’の傾斜面２ｄの左右方向の略全域を覆うように載置させたのち、さらに傾斜面２ｄに沿わせて前方に摺動させていくことで、側端屈曲部１０ｃ，１０ｃ’の前端が突片２ｆ’，２ｆ’の左右２箇所で係止され、シート板１０’’のさらなる前方への移動を停止させており、特に図示しないがシート板１０’’上に陳列された商品Ｗの前方への移動時においても、シート板１０’’の前方への滑りが規制されるようになっている。
【００３５】
以上の説明により実施例３では、左右動拘束手段である左右の側端屈曲部１０ｃ，１０ｃ’により、シート板１０’’全体の左右方向への移動を容易に拘束でき、かつ回転振れも防止でき、シート板１０’’を安定した状態で棚板２’’上に配設できる。さらに、棚板２’’の両側部２ｃ，２ｃ’から左右方向に突出した突片２ｆ’，２ｆ’にシート板１０の側端屈曲部１０ｃ，１０ｃ’がそれぞれ当接されたことで、シート板１０の前方への移動が容易に停止される。
【実施例４】
【００３６】
次に、本発明の実施例４を図７に基づいて説明する。図７（ａ）は、シート板を棚板に取り付ける過程を示す分解組立斜視図であり、図７（ｂ）は、シート板の取り付け完成斜視図である。なお、以下の実施例４において前述の実施例１と同様の構造部分に関しては、同一の符号を付すことにより詳細な説明は省略する。
【００３７】
図７（ａ）に示されるように、棚板２’’’の両側部２ｃ，２ｃ’には前後に所定間隔離間され、傾斜面２ｄよりも上方に向けて突設された左右動拘束手段である当接片１５，１５’がネジ等で螺着されており、傾斜面２ｄの前端部２ａ側には前述の落下防止具４が立設されている。シート板１０’’’は左右方向の略全域を覆うように左右長手方向に延設された一枚板で形成されており、このシート板１０’の上面は実施例１と同様に、特に図示しないがエンボスシート１２の表面に塗膜１３が塗布され滑り性能が高められている。
【００３８】
そこで、シート板１０’’’を矢印に示されるように、シート板１０’’’の左右の側端部をそれぞれ当接片１５，１５’に摺動させて、シート板１０’’’の左右方向への移動を拘束させながら、傾斜面２ｄに沿わせて前方に摺動させていくことで、落下拘束手段である落下防止具４にシート板１０’’’の前端が当接し、シート板１０’’’のさらなる前方への滑りが規制される。
【００３９】
実施例４では、当接片１５，１５’により左右動を拘束し、商品陳列棚１に通常備えられている落下防止具４を利用して、シート板１０の前方への移動を停止させたもので、シート板１０’’’に側端屈曲部を形成する必要がない。なお、落下防止具４としては従来公知の商品値札用のプライスレールも含まれる（図１参照）。
【００４０】
以上、本発明の実施例を図面により説明してきたが、具体的な構成はこれら実施例に限られるものではなく、本発明の要旨を逸脱しない範囲における変更や追加があっても本発明に含まれ、例えばシート材として基材とエンボスシートから成るシート板を用いて説明したが、高滑り性能を有する板状体のものであれば、公知のいかなるシートも適応可能である。
【００４１】
また、上記実施例２、３では、既存の傾斜面２ｄおよび左右側部２ｃ，２ｃ’の一部を利用して、突片２ｆ，２ｆ’を形成したものであるが、本発明はこれに限定されるものではなく、突片２ｆ，２ｆ’を別体の部材で構成して傾斜面２ｄおよび左右側部２ｃ，２ｃ’に固設するようにしてもよい。
【００４２】
更に、上記実施例３では、落下拘束手段として棚板２’’の左右側部２ｃ，２ｃ’に突片２ｆ’，２ｆ’を形成させ、棚板２’’の前方への移動を規制しているが、実施例２で示されたように棚板２’’の傾斜面２ｄに突片２ｆ，２ｆも形成させ、シート板１０’’の前方移動規制を行ってもよい。
【図面の簡単な説明】
【００４３】
【図１】本発明の実施例１における商品陳列棚の全体像を示す斜視図である。
【図２】（ａ）は、シート板および落下防止具を棚板に取り付ける過程を示す分解組立斜視図であり、（ｂ）は、シート板の取り付け完成斜視図である。
【図３】（ａ）は、シート板の表面を示す要部拡大平面図であり、（ｂ）は、（ａ）のＡ−Ａ線の断面図である。
【図４】商品の取り出しにともなう他の陳列商品の移動過程を示す棚板とその周辺部を示す要部拡大側断面図である。
【図５】本発明の実施例２におけるシート板を棚板に載置した斜視図と、突片の要部拡大断面図である。
【図６】（ａ）は、本発明の実施例３におけるシート板を棚板に取り付ける過程を示す分解組立斜視図であり、（ｂ）は、シート板の取り付け完成斜視図である。
【図７】（ａ）は、本発明の実施例４におけるシート板を棚板に取り付ける過程を示す分解組立斜視図であり、（ｂ）は、シート板の取り付け完成斜視図である。
【符号の説明】
【００４４】
１                    商品陳列棚
２、２’              棚板
２’’、２’’’          棚板
２ａ                  前端部
２ｂ                  後端部
２ｃ，２ｃ’          側部
２ｄ                  傾斜面
２ｅ                  取付孔
２ｆ，２ｆ’          突片（落下拘束手段）
３                    脚柱
３ａ                  係合穴
４                    落下防止具（落下拘束手段）
５                    載置台
６                    背面板
８                    横架材
９                    ブラケット
９ａ                  係止溝
１０、１０’          シート板（シート材）
１０’’、１０’’’      シート板（シート材）
１０ａ                載置部
１０ｂ                後端屈曲部（落下拘束手段）
１０ｃ、１０ｃ’      側端屈曲部（左右動拘束手段）
１１                  基材
１２                  エンボスシート
１３                  塗膜
１４                  突起
１５、１５’          当接片
Ｗ                    商品
【図１】
2006239133.tif 000003
【図２】
2006239133.tif 000004
【図３】
2006239133.tif 000005
【図４】
2006239133.tif 000006
【図５】
2006239133.tif 000007
【図６】
2006239133.tif 000008
【図７】
2006239133.tif 000009